(57)【特許請求の範囲】
【請求項１】
予め相手先の名前を識別するための識別情報と、前記相手先の電話番号と、前記電話番号の属性を示す属性情報とを対にして複数の対を格納する記憶手段と、
前記格納された複数の対の中から検索したい識別情報に対応する文字列を入力する入力手段と、
入力された前記文字列に一致する識別情報を有する対を前記記憶手段から抽出する抽出手段と、
前記抽出された識別情報と対にして格納された属性情報を、前記抽出された識別情報とともに表示する表示手段とを備え、
前記抽出手段にて抽出された対が複数存在する場合に、前記表示手段は、１つの抽出された識別情報と、抽出された複数の属性情報とを表示することを特徴とする表示制御装置。
【請求項２】
前記抽出手段は、前記記憶手段に格納された対を一時的に保持するレジスタであることを特徴とする請求項１記載の表示制御装置。
【請求項３】
前記属性情報をアイコンとすることを特徴とする請求項１記載の表示制御装置。
【請求項４】
前記表示制御装置は、移動体通信装置または携帯情報端末に設けられることを特徴とする請求項１記載の表示制御装置。
【請求項５】
前記属性情報は自宅、会社、携帯電話もしくはＦＡＸを表す請求項1記載の表示制御装置
【請求項６】
前記一致は特定の関係を有することも含む請求項１記載の表示制御装置
【請求項７】
前記文字列はひらがな、かたかな及び漢字を含む請求項１記載の表示制御装置
【請求項８】
発信する相手先の名前を識別する識別情報と、前記相手先の電話番号と、前記電話番号の属性を示す属性情報と短縮ダイヤル番号とを含む一対の情報を２以上記憶可能な記憶手段と、
前記記憶手段に記憶された少なくとも２以上の一対の情報から検索したい識別情報に対応する文字列を入力する入力手段と、
前記入力手段により入力された前記文字列に一致する識別情報を有する前記一対の情報が複数存在する場合に、１つの抽出された識別情報と、抽出された複数の属性情報とを表示する表示手段とを備えることを特徴とする表示制御装置。
【請求項９】
発信する相手先の名前を識別する識別情報と、前記相手先の電話番号と、前記電話番号の属性を示す属性情報とを含む対を２以上記憶可能な記憶手段と、
前記記憶手段に記憶された前記２以上の対の中から検索したい識別情報に対応する文字列を入力する入力手段と、
前記入力手段により入力された前記文字列に一致する識別情報を有する対を一時的に保持し、前記一時的に保持された識別情報と対となっている属性情報を、入力された前記文字列とともに表示する表示手段とを備え、
前記入力手段により入力された前記文字列に一致する識別情報を有する対が複数存在する場合に、前記表示手段は、１つの抽出された識別情報と、抽出された複数の属性情報とを表示することを特徴とする表示制御装置。
【請求項１０】
発信する相手先の名前を識別する識別情報と、前記相手先の電話番号と、前記電話番号の属性を示す属性情報とを含む対を記憶するステップと、
記憶された少なくとも２以上の対の中から検索したい識別情報に対応する文字列を入力するステップと、
入力された前記文字列に一致する識別情報を有する対を一時的に保持し、前記一時的に保持された対の属性情報を、前記入力された文字列とともに表示するステップと、
前記検索の対象として入力された前記文字列に一致する識別情報を有する対が複数存在する場合に、１つの抽出された識別情報と、抽出された複数の属性情報とを表示するステップとを備えることを特徴とする表示制御方法。
【請求項１１】
さらに、表示された属性情報と対になる電話番号に対して発信処理を実行するステップを備えることを特徴とする請求項１０記載の表示制御方法。
【請求項１２】
前記一致は特定の関係を有することも含む請求項８乃至９のいずれか１に記載の表示制御装置。
【請求項１３】
前記表示制御装置は、移動体通信装置または携帯情報端末に設けられることを特徴とする請求項８乃至９のいずれか１に記載の表示制御装置。
【発明の詳細な説明】
【０００１】
【発明の属する技術分野】
本発明は、表示制御装置に関し、特に、登録された情報の表示制御装置に関する。
【０００２】
【従来の技術】
従来、携帯電話機等の移動体無線通信装置では、短縮ダイヤルや電話帳機能を有している。これら短縮ダイヤルや電話帳機能では、通常の一つの名前に対して一つの電話番号が割り当てられている。
【０００３】
例えば、短縮ダイヤルにて、発信したい場合、その人の名前をスクロールにより登録されたデータ内から探し、発呼操作を行うことにより、この名前に対して登録された電話番号に自動発呼することが可能となる。
【０００４】
【発明が解決しようとする課題】
この種の携帯電話機では、同一人物で、自宅、会社、携帯電話等の複数の電話番号を登録可能な場合、各々の電話番号に対して名前も一緒に登録する必要があり、しかも、発呼に際し、登録された名前と電話番号を表示する場合には、登録順に表示される。したがって、一度に同一人物に対して全ての電話番号を登録した場合には、表示に際しこれら電話番号が順番に表示されるので、使用者は、ある程度選別しやすい。
【０００５】
しかしながら、同一人物に対して複数の電話番号を登録する間に他の人の電話番号を登録した場合には、発呼したい人に対する複数の電話番号の表示が離れてしまう。例えば、最初に佐藤さんの名前と自宅の電話番号を登録し、次に、田中さんの名前と会社の電話番号、鈴木さんの名前と携帯電話の番号を登録し、数日たってから、佐藤さんの名前と携帯電話の番号を登録したとすると、発呼に際する表示は、登録順に、各々の名前とともに、佐藤さんの自宅、田中さんの会社、鈴木さんの携帯、佐藤さんの携帯電話となる。したがって、同一人物である佐藤さんの複数の電話番号が離れた順番で表示されるので、選別が困難となり、しかも時間がかかってしまう。
【０００６】
また、登録順に表示する場合には、短縮ダイヤルの呼出に必要なスクロールの最大値は、短縮ダイヤルに登録した件数分だけ必要となる。
【０００７】
さらに、表示部に名前と電話番号とを一対とする情報が複数表示されると、使用者にとって、認識しにくいものとなる。
【０００８】
本発明の目的は、上述した課題を解決し、改良された表示制御装置を提供することにある。
【０００９】
本発明の他の目的は、使用者の操作性および利便性を向上させる表示制御装置を提供することにある。
【００１０】
【課題を解決するための手段】
上述した目的を達成するため、本発明による表示制御装置は、予め相手先の名前を識別するための識別情報と、前記相手先の電話番号と、前記電話番号の属性を示す属性情報とを対にして複数の対を格納する記憶手段と、前記格納された複数の対の中から検索したい識別情報を入力する入力手段と、入力された識別情報に該当する識別情報を有する対を前記記憶手段から抽出し、前記抽出された識別情報と対にして格納された属性情報を、前記抽出された識別情報とともに表示する表示手段とを備え、前記抽出手段にて抽出された対が複数存在する場合に、前記表示手段は、１つの抽出された識別情報と、抽出された複数の属性情報とを表示することを特徴とする。
【００１１】
前記抽出手段は、前記記憶手段に格納された対を一時的に保持するレジスタであることを特徴とする。
【００１２】
前記属性情報をアイコンとすることを特徴とする。
【００１３】
前記表示制御装置は、移動体通信装置または携帯情報端末に設けられることを特徴とする。
【００１４】
発信する相手先の名前を識別する識別情報と、前記相手先の電話番号と、前記電話番号の属性を示す属性情報とを一対として短縮ダイヤル番号に入力された前記一対の情報を少なくとも２以上記憶する記憶手段と、前記記憶手段に記憶された少なくとも２以上の一対の情報から検索の対象とする識別情報を入力する入力手段と、前記入力手段により入力された識別情報に対応する識別情報を有する対が複数存在する場合に、１つの抽出された識別情報と、抽出された複数の属性情報とを表示する表示手段とを備えることを特徴とする。
【００１５】
発信する相手先の名前を識別する識別情報と、前記相手先の電話番号と、前記電話番号の属性を示す属性情報とを対にして少なくとも２以上の対を記憶する記憶手段と、前記記憶手段に記憶された少なくとも２以上の対の中から検索の対象とする識別情報を入力する入力手段と、前記入力手段により入力された識別情報に対応する識別情報を有する対を一時的に保持し、前記一時的に保持された識別情報と対となっている属性情報を、前記一時的に保持された識別情報とともに表示する表示手段とを備え、前記入力手段により入力された識別情報を有する対が複数存在する場合に、前記表示手段は、１つの抽出された識別情報と、抽出された複数の属性情報とを表示することを特徴とする。
【００１６】
発信する相手先の名前を識別する識別情報と、前記相手先の電話番号と、前記電話番号の属性を示す属性情報とを対にして少なくとも２以上の対を記憶するステップと、記憶された少なくとも２以上の対の中から検索の対象とする識別情報を入力するステップと、検索の対象として入力された識別情報に対応する識別情報を有する対を一時的に保持すし、前記一時的に保持された識別情報と対となっている属性情報を、前記一時的に保持された識別情報とともに表示するステップと、前記検索の対象として入力された識別情報を有する対が複数存在する場合に、１つの抽出された識別情報と、抽出された複数の属性情報とを表示するステップとを備えることを特徴とする。
【００１７】
さらに、表示された属性情報と対になる電話番号に対して発信処理を実行するステップを備えることを特徴とする。
【００１８】
予め相手先の名前を識別するための識別情報と、前記相手先の電話番号と、前記電話番号の属性を示す属性情報とを対にして複数の対を格納する記憶手段と、前記格納された複数の対の中から検索したい識別情報を入力する入力手段と、入力された識別情報に完全に一致する識別情報を有する対を前記記憶手段から抽出する抽出手段と、抽出された識別情報と対にして格納された属性情報を、前記抽出された識別情報とともに表示する表示手段とを備え、前記抽出手段にて抽出された対が複数存在する場合に、前記表示手段は、１つの抽出された識別情報と、抽出された複数の属性情報とを表示することを特徴とする。
【００１９】
前記抽出手段は、前記記憶手段に格納された対を一時的に保持するレジスタであることを特徴とする。
【００２０】
前記属性情報をアイコンとすることを特徴とする。
【００２１】
前記表示制御装置は、移動体通信装置または携帯情報端末に設けられることを特徴とする。
【００２２】
発信する相手先の名前を識別する識別情報と、前記相手先の電話番号と、前記電話番号の属性を示す属性情報とを一対として短縮ダイヤル番号に入力する第１の入力手段と、前記入力手段にて入力された一対の情報を少なくとも２以上記憶する記憶手段と、前記記憶手段に記憶された少なくとも２以上の一対の情報から検索の対象とする識別情報を入力する第２の入力手段と、第２の入力手段により入力された識別情報に完全に一致する識別情報を有する対が複数存在する場合に、１つの抽出された識別情報と、抽出された複数の属性情報とを表示する表示手段とを備えることを特徴とする。
【００２３】
発信する相手先の名前を識別する識別情報と、前記相手先の電話番号と、前記電話番号の属性を示す属性情報とを入力する第１の入力手段と、前記入力手段にて入力された識別情報、電話番号および属性情報を対にして少なくとも２以上の対を記憶する記憶手段と、前記記憶手段に記憶された少なくとも２以上の対の中から検索の対象とする識別情報を入力する第２の入力手段と、第２の入力手段により入力された識別情報に完全に一致する識別情報を有する対を一時的に保持する一時保持手段と、一時的に保持された識別情報と対となっている属性情報を、前記一時的に保持された識別情報とともに表示する表示手段とを備え、前記第２の入力手段により入力された識別情報を有する対が複数存在する場合に、前記表示手段は、１つの抽出された識別情報と、抽出された複数の属性情報とを表示することを特徴とする。
【００２４】
発信する相手先の名前を識別する識別情報と、前記相手先の電話番号と、前記電話番号の属性を示す属性情報とを入力するステップと、入力された識別情報、電話番号および属性情報を対にして少なくとも２以上の対を記憶するステップと、記憶された少なくとも２以上の対の中から検索の対象とする識別情報を入力するステップと、検索の対象として入力された識別情報に完全に一致する識別情報を有する対を一時的に保持するステップと、一時的に保持された識別情報と対となっている属性情報を、前記一時的に保持された識別情報とともに表示するステップと、前記検索の対象として入力された識別情報を有する対が複数存在する場合に、１つの抽出された識別情報と、抽出された複数の属性情報とを表示するステップとを備えることを特徴とする。
【００２５】
さらに、表示された属性情報と対になる電話番号に対して発信処理を実行するステップを備えることを特徴とする。
【００２６】
【発明の実施の形態】
次に本発明について図面を参照して詳細に説明する。
【００２７】
図１は、本発明の好適な一実施例を示す構成ブロック図である。同図では、移動体通信装置の一例である携帯電話装置の主要部を示している。
【００２８】
図１において、無線部１にて図示せぬ基地局から着信した場合、制御部２は、ＲＯＭ３に格納された固有の識別番号（ＩＤ）と着信信号に含まれるＩＤとを比較し、一致すると、図示せぬ報知手段としてのスピーカーを鳴音させる。携帯者によりこの報知に対してキー操作部４のオフフックボタンが操作されると、制御部２は、無線部１から着信応答信号を送出し、送受話部５を用いて通話を開始する。
【００２９】
一方、発信する場合には、キー操作部４から相手先がダイヤルされオフフックボタンが操作されると、制御部２は無線部１から発呼信号を送出する。ダイヤルされた相手先の電話番号は、表示部６に確認のため表示される。相手側と回線接続され、応答があると、通話が開始される。
【００３０】
ＲＡＭ７には、好ましくは短縮ダイヤルが登録されている。また、着信履歴や電話帳機能を有しても良い。発呼の際、キー操作部４のキー操作により、短縮ダイヤルが指定されると、予めＲＡＭ７に格納された名前と電話番号とが順次表示され、選択された一つの電話番号に発信される。
【００３１】
キー操作部４は、少なくとも、テンキー、オフフックボタンを有し、さらに、短縮ダイヤルの指定やスクロールを行う各種のファンクションキーを有する。
【００３２】
本発明では、後で詳述するように、予めＲＡＭ７に登録された短縮ダイヤル等の登録情報を表示部６に表示する場合に、同一名毎に複数の電話番号を区別して表示する。
【００３３】
なお、携帯電話機は図１に示された構成以外にも他の構成を有しているが、本発明と特に関係しない部分については、その説明を省略している。
【００３４】
また、図１では、携帯電話機を用いたが、本発明は、ページャーや自動車電話、コードレス電話、第二世代コードレス電話ＰＨＳ等の移動体通信装置であれば、適用可能であり、さらに、移動体通信装置以外の、固定通信装置や携帯情報端末、パーソナルコンピュータ等にも適用可能である。
【００３５】
図２は、本発明の好適な短縮ダイヤルの登録の一例を示す動作フローチャートである。
【００３６】
図２において、まず、キー操作部４により短縮ダイヤルの登録モードが設定されると（ステップＳ１０１）、まず、相手先の名前、好ましくは氏名をカタカナまたはひらがなで入力する（ステップＳ１０２）。これらカタカナおよびひらがなは、キー操作部４の予め定められた特定のキー操作により選択され、テンキーの操作によりカタカナまたはひらがなが入力される。
【００３７】
次に、入力したカタカナまたはひらがなに対して漢字変換される場合（ステップＳ１０３、ＹＥＳ）、キー操作部４の予め定められたキー操作により、漢字変換が行われる（ステップＳ１０４）。漢字変換にて名前の入力が終了すると、次に電話番号が入力される（ステップＳ１０５）。
【００３８】
一方、漢字変換が不要な場合には（ステップＳ１０３、ＮＯ）、電話番号入力に移行する（ステップＳ１０５）。
【００３９】
なお、このカタカナまたはひらがなおよび漢字は、必ずしも、名前そのものを示すものではなく、その相手先を識別し得る情報であればよい。相手先を識別する情報とは、例えば、愛称や記号である。
【００４０】
電話番号の入力が終了すると、続いて、この電話番号を特徴づける、すなわち電話番号の属性を示すアイコン情報が選択される（ステップＳ１０６）。アイコンは、ＲＯＭ３に格納されていることが好ましく、その電話番号が自宅なのか、会社なのか、所有する携帯電話なのか、学校なのか、ＦＡＸなのか等の属性を示すものであって、電話番号の入力の終了操作に応じて複数表示部６に表示され、その中から１つ選択されるようにすることが好ましい。
【００４１】
アイコンの選択が終了すると、短縮ダイヤルの登録先番号の選択がキー操作部４のキー操作により行われ（ステップＳ１０７）、短縮ダイヤルの登録動作が終了する。
【００４２】
図３はこのようにして登録されたＲＡＭ７の記憶パターンを示している。図３では、最初に佐藤（さとう）さんの名前、電話番号、および自宅を示すアイコンが登録され、次に、田中（たなか）さんの名前、電話番号および会社を示すアイコン、鈴木（すずき）さんの名前、電話番号および携帯電話を示すアイコンを登録し、最後に佐藤（さとう）さんの名前、電話番号および携帯電話を示すアイコンを登録した場合を示している。それぞれの登録において、短縮ダイヤル番号は、１から順に４まで指定されたものとしている。ＲＡＭ７には、短縮ダイヤル番号、識別情報、名前、電話番号およびアイコンを１セットとする情報を短縮ダイヤルの件数分格納している。
【００４３】
なお、ＲＡＭ７内では、登録された順に格納されて良いし、指定された短縮ダイヤル順に格納されても良い。いずれにしても、操作者が同一人物の複数の電話番号を連続して、または短縮ダイヤル番号を連続して指定しない限り、並んで格納されることはない。
【００４４】
次に、登録された短縮ダイヤル等の登録情報の表示についての動作を図４のフローチャートを参照して説明する。
【００４５】
図４において、短縮ダイヤルの検索モードがキー操作部４の予め定められたキー操作により指定された状態で（ステップＳ２０１）、検索の対象となる名前がキー操作部４のキー操作によりひらがなまたはカタカナで入力され（ステップＳ２０２）、検索の開始操作がキー操作部４から操作されると、検索が実行される（ステップＳ２０３）。この検索は、入力されたひらがなまたはカタカナ、すなわち、相手先の識別情報により実行され、入力された識別情報に該当する識別情報がＲＡＭ７に格納されているか否かが判断される。
【００４６】
なお、登録されたひらがな／カタカナと、入力されたカタカナ／ひらがなとが一致または特定の関連を有する場合には、これらを一致と見なすか否かについて設定する可能なことが好ましい。すなわち、入力されたカタカナに該当するひらがなが検索された場合、これを一致と見なすか否かについて予め選択しておき、この選択にしたがって、一致不一致を判断することが好ましい。また、漢字にて一致検索を実行しても良い。
【００４７】
ステップＳ２０４における一致の判断は、完全に一致するものでも、予め定められた特定の関係を有するものでも良い。また、この一致判断は、ＲＡＭ７に登録された短縮ダイヤル番号順に行われても良いし、登録された順番でも良い。
【００４８】
ステップＳ２０４の処理にて、一致とされるものがない場合には、その旨表示部６に表示される（ステップＳ２０４）。
【００４９】
一方、ステップＳ２０４の処理にて、一致と判断されるものは、抽出作業が行われる（ステップＳ２０６）。この抽出は、ＲＡＭ７内の一致するものについて１セットの情報を制御部２内のレジスタに一時的に保管する。例えば、検索したい名前を識別するための識別情報として「さとう」が入力されると、ＲＡＭ７内に格納された短縮ダイヤル情報の全てについて検索され、一致する短縮ダイヤル番号１と４の情報がＲＡＭ７からレジスタに送られ、レジスタ内に格納される。
【００５０】
なお、レジスタ内に格納される情報としては、各１セットの情報全てでも良いし、識別情報を除く１セット内の情報でも良い。
【００５１】
全ての登録された短縮ダイヤル情報についての検索が終了すると（ステップＳ２０７、ＹＥＳ）、一致と判断されたものについて全て、図５に示すように表示され（ステップＳ２０８）、処理を終了する。
【００５２】
図５は登録情報の表示部６における表示に関する好適な一例を示す図である。
【００５３】
表示部６の上段に検索された識別情報「さとう」が表示され、この識別情報に対応して記憶された自宅と携帯電話を示すアイコンを下段に表示している。図５では、自宅を示すアイコンが点線で囲まれており、この点線はキー操作部４のスクロールキーの操作により表示されているアイコンに対して移動させることが可能である。この点線で囲まれているアイコンに対して、その電話番号を表示させたり、発呼の起動が可能なようにすることが好ましい。自動発呼については、制御部２が、点線で囲まれたアイコンが表示されている状態で、オフフックボタンが操作された場合、そのアイコンに対応する電話番号をダイヤルデータとして無線部１を介して変調し基地局へ送出することにより行われる。
【００５４】
なお、図５では、識別情報を表示したが、識別情報の変わりに名前、例えば、「佐藤」を表示しても良い。
【００５５】
図６は、表示の他の例を示す図である。
【００５６】
図５と相異する点は、アイコンの代わりに文字、自宅や携帯電話等を表示している点である。この文字表示は、図２に示したステップＳ１０６の処理をアイコンの代わりに文字にし、図３に示した登録において、アイコンの代わりに文字を登録することにより行われる。
【００５７】
【発明の効果】
以上説明したように、本願発明では、名前と電話番号とを一対の情報として登録された情報を検索する場合に、検索したい名前もしくはその名前の識別情報を入力し、登録された情報内に一致するものがあると、同一名前もしくは同一識別情報に対して名前もしくは識別情報を１つの表示して複数の電話番号を表示することにより、使用者に対して、認識しやすくし、操作性や利便性を向上させることが可能となる。
【図面の簡単な説明】
【図１】本発明の好適な一実施例の構成ブロック図。
【図２】本発明の好適な一実施例の登録動作を説明するためのフローチャート。
【図３】図１に示したＲＡＭ内の好適な格納パターンを示す図。
【図４】本発明の好適な一実施例の検索動作を説明するためのフローチャート。
【図５】図１に示した表示部の好適な一例の表示状態を示す図。
【図６】図１に示した表示部の他の好適な一例の表示状態を示す図。
【符号の説明】
１    無線部
２    制御部
３    ＲＯＭ
４    キー操作部
５    送受話部
６    表示部
７    ＲＡＭ
【図１】
0003612475.tif 000002
【図２】
0003612475.tif 000003
【図３】
0003612475.tif 000004
【図４】
0003612475.tif 000005
【図５】
0003612475.tif 000006
【図６】
0003612475.tif 000007